(57)【要約】【課題】ワイヤハーネス組立作業台に立設する治具を多用途に用いられるようにする。【解決手段】ワイヤハーネスの組立作業台に立設される支持軸の上端に電線受け部を備えた電線布線治具と、該電線布線治具の支持軸に第１のＣ型継ぎ手を介して揺動可能に基端を軸着すると共に伸縮可能な構成とした分岐アームと、前記電線布線治具の支持軸に第２のＣ型継ぎ手を介して揺動可能に基端を軸着すると共に先端を前記分岐アームの中間位置に回動可能に軸着する支持アームと、前記分岐アームの先端に設けた第２の電線布線治具またはコネクタ受け治具からなる第２の治具を備え、前記支持軸に対して前記支持アームまたは／および分岐アームの基端側を上下動させて前記分岐アームを介して前記第２の治具の高さ（Ｚ）を調節可とすると共に、前記支持軸に外嵌する前記第１のＣ型継ぎ手および第２のＣ型継ぎ手を回転させて前記第２の治具の縦横（Ｘ、Ｙ）の位置を調節可としている。【選択図】図１
2015076349.tif 000002
【特許請求の範囲】
【請求項１】
ワイヤハーネスの組立作業台に立設される支持軸の上端に電線受け部を備えた電線布線治具と、
前記電線布線治具の支持軸に第１のＣ型継ぎ手を介して揺動可能に基端を軸着すると共に伸縮可能な構成とした分岐アームと、
前記電線布線治具の支持軸に第２のＣ型継ぎ手を介して揺動可能に基端を軸着すると共に先端を前記分岐アームの中間位置に回動可能に軸着する支持アームと、
前記分岐アームの先端に設けた第２の電線布線治具またはコネクタ受け治具からなる第２の治具を備え、
前記支持軸に対して前記支持アームまたは／および分岐アームの基端側を上下動させて前記分岐アームを介して前記第２の治具の高さ（Ｚ）を調節可とすると共に、前記支持軸に外嵌する前記第１のＣ型継ぎ手および第２のＣ型継ぎ手を回転させて前記第２の治具の縦横（Ｘ、Ｙ）の位置を調節可としているワイヤハーネス用組立治具。
【請求項２】
前記分岐アームの先端に前記第２の治具を交換自在に取り付ける請求項１に記載のワイヤハーネス用組立治具。
【請求項３】
前記第２の治具を先端に取り付けた前記分岐アームと該分岐アームに連結する前記支持アームからなるセットを、前記支持軸に２組以上の複数組を取り付けている請求項１に記載のワイヤハーネス用組立治具。
【発明の詳細な説明】
【技術分野】
【０００１】
本発明はワイヤハーネス用組立治具に関し、詳しくは、ワイヤハーネスの組立作業台上に立設する電線布線治具の電線受け部を任意の高さ及び方向に簡単に変えて調節できるものである。
【背景技術】
【０００２】
車両に配索するワイヤハーネスを組み立てる組立作業台は、組立作業台上に組み立てるワイヤハーネスの経路に沿って所要位置に電線布線治具等の組立治具を立設している。該組立治具のうち、図１０（Ａ）（Ｂ）に示すように、支持軸１０１の先端にＵ形状、Ｙ形状、Ｘ形状等の電線受け部１０２を設けた電線布線治具１００が多用されている。該電線布線治具１００を組立作業台２００上に立設し、ワイヤハーネスを構成する電線群Ｗを電線布線治具１００で支承しながら布線し、布線終了後に電線群Ｗにテープを巻き付け又はコルゲートチューブや丸チューブで外装して本結束および保護し、かつ、必要な部材を取り付けてワイヤハーネスを組み立てている。
【０００３】
自動車に配索する大型のワイヤハーネスを組み立てる場合、組立作業台２００上に１００本を越す組立治具が立設されており、そのうち、前記電線布線治具１００が最も多い。これら電線布線治具１００は支持軸１０１の下部を組立作業台２００に穿設した貫通穴２０１に挿入し、支持軸１０１に設けたネジ１０３に組立作業台２００の底面側でナット１０４を締め付けて立設固定しており、治具が多くなると組立作業台２００に設ける貫通穴２０１も多くなる。また、電線布線治具１００では、支持軸１０１の上端に設ける電線受け部１０２のＸＹ方向の位置およびＺ方向の高さを夫々設定位置に配置する必要がある。このように、ワイヤハーネスの組立作業台２００上に組立治具が高密度に配置され、かつ、各組立治具の設置に手数がかかる問題がある。また、組立作業台２００上に組立治具を立設固定すると、微調整が容易にできない問題がある。
【０００４】
前記問題を解決するため、従来より、位置調節が可能な電線布線治具が多数提供されている。例えば、本出願人が特開平７−３２６２３７号公報で提供している電線支持具３００は図１１に示すように、支持軸３０１に第２の支持部３０２を回転可能に取り付け、該第２の支持部３０２の水平方向の姿勢等を変化できるようにしている。また、特開２０００−１６４０５４号公報で提供している図１２に示す組立治具４００の支持軸を組立作業台２００上に回転およびスライド可能に取り付けている。
【先行技術文献】
【特許文献】
【０００５】
【特許文献１】特開平７−３２６２３７号公報
【特許文献２】特開２０００−１６４０５４号公報
【発明の概要】
【発明が解決しようとする課題】
【０００６】
図１１および図１２等に示す従来提供している組立治具はＸＹＺの全ての方向に容易に可動させることはできず、組立作業台上に立設した治具を取り外し、組立作業台に新たな貫通穴を空け直して治具を取り付ける必要がある。また、前記従来の調節可能とした治具は構造が複雑で高価になる問題がある。さらに、図１１に示す支持軸から第２の支持部が突出する場合、該第２の支持部が不要な場合も突出した状態のままでスペースをとるため、該治具を取り外して他の治具を取り付ける必要がある。
【０００７】
本発明は前記問題に鑑みてなされたもので、ＸＹＺ方向の調整が簡単にでき、組み立てるワイヤハーネスが若干変更されても、組立作業台上に立設している治具の調整をするだけで用いることができるようにすることを課題としている。
【課題を解決するための手段】
【０００８】
前記課題を解決するため、本発明は、ワイヤハーネスの組立作業台に立設される支持軸の上端に電線受け部を備えた電線布線治具と、
前記電線布線治具の支持軸に第１のＣ型継ぎ手を介して揺動可能に基端を軸着すると共に伸縮可能な構成とした分岐アームと、
前記電線布線治具の支持軸に第２のＣ型継ぎ手を介して揺動可能に基端を軸着すると共に先端を前記分岐アームの中間位置に回動可能に軸着する支持アームと、
前記分岐アームの先端に設けた第２の電線布線治具またはコネクタ受け治具からなる第２の治具を備え、
前記支持軸に対して前記支持アームまたは／および分岐アームの基端側を上下動させて前記分岐アームを介して前記第２の治具の高さ（Ｚ）を調節可とすると共に、前記支持軸に外嵌する前記第１のＣ型継ぎ手および第２のＣ型継ぎ手を回転させて前記第２の治具の縦横（Ｘ、Ｙ）の位置を調節可としているワイヤハーネス用組立治具を提供している。
【０００９】
前記分岐アームの先端に前記第２の治具を交換自在に取り付けられることが好ましい。
【００１０】
前記本発明のワイヤハーネス組立治具は、従来から汎用されているＵ字状等の電線受け部を具備する電線布線治具に、第２の治具を先端に取り付けた分岐アームと支持アームとを汎用のＣ型継ぎ手を介して組みつけているだけの極めて簡単な構造であるため、安価に提供できる。かつ、メインの電線布線治具にアタッチメントする第２の治具をＸ，Ｙ，Ｚのすべての方向に簡単に調節することができる。よって、例えば、第２の治具をＵ字等の電線受け部を備えた第２の治具とし、該第２の治具の高さをメインの治具より高い位置に設置すると、ワイヤハーネスの幹線の分岐位置を変えることができる。かつ、支持軸を支点として分岐アームを回転させて第２の治具の方向を変えると、メインの電線受け部で分岐する枝線の方向を調整できる。さらに、支持アームにより分岐アームを下向き傾斜させて第２の治具を下方に位置させて、メインの治具から第２の治具へ電線を下向きに配線することができる。
さらに、第２の治具をコネクタ受け治具とし、分岐アームの突出長さを変えることで、幹線から分岐する枝線の長さに対応させると共に該枝線の端末のコネクタを支持することができる。
【００１１】
さらに、第２の治具を先端に取り付けた分岐アームと該分岐アームに連結する支持アームからなるセットを、前記支持軸に２組等の複数組を取り付けてもよい。
このように、第２、第３、第４〜の治具をアタッチメントで取り付けると、ワイヤハーネスの組立作業台に取付穴を穿設して新たに治具を立設する必要がなく、作業手数を大幅に低減できる。
【００１２】
このように、本発明のワイヤハーネス用組立治具は、汎用されている電線布線治具に第２の治具を先端に取り付けた分岐アームと支持アームをＣ型継ぎ手を介して上下動可に取り付けるだけで、ワイヤハーネスの仕様を若干変えた場合に対応させることができる。よって、少量多品種のワイヤハーネスを組み立てる場合に、ワイヤハーネスの組立作業台上に立て直す組立治具の個数を低減できる。よって、組立作業台に新たに穿設する治具穴を低減できると共に不使用となった治具穴も低減でき、作業手数を軽減できる。
【発明の効果】
【００１３】
前記のように、本発明に係わるワイヤハーネス用組立治具は、従来から汎用されているＵ字状等の電線受け部を具備する電線布線治具に、第２の治具を先端に取り付けた分岐アームと支持アームとを汎用のＣ型継ぎ手を介して組みつけているだけの極めて簡単な構造であるため、安価に提供できる。かつ、メインの電線布線治具にアタッチメントする第２の治具をＸ，Ｙ，Ｚのすべての方向に簡単に調節することができる。
【図面の簡単な説明】
【００１４】
【図１】本発明の第１実施形態の組立治具の斜視図である。
【図２】前記組立治具をワイヤハーネスの組立作業台に立設した状態の正面図である。
【図３】前記組立治具の支持軸に分岐アームを連結した状態を示す平面図である。
【図４】第２の治具のコネクタ受け治具の斜視図である。
【図５】前記組立治具の支持軸に分岐アームと支持アームを取り付けた部分を示す正面図である。
【図６】第２の治具の第２の位置を示し、（Ａ）は斜視図、（Ｂ）は電線の布線状態を示す概略正面図である。
【図７】第２の治具の第３の位置を示す概略正面図である。
【図８】第２の治具の第４の位置を示す斜視図である。
【図９】第２実施形態を示す斜視図である。
【図１０】（Ａ）（Ｂ）は従来例を示す図面である。
【図１１】他の従来例を示す斜視図である。
【図１２】他の従来例を示す斜視図である。
【発明を実施するための形態】
【００１５】
以下、本発明の実施形態を図面を参照して説明する。
図１乃至図面８に第１実施形態を示す。
ワイヤハーネス用組立治具となる電線布線治具１は、図１に示すように、金属製で支持軸２の上端にＵ形状の電線受け部３を突設している既存のメイン組立治具１０に、第２の電線布線治具５からなる第２の治具を先端に取り付けた分岐アーム４と、該分岐アーム４を支持する支持アーム７とをアタッチメントとして、メイン組立治具１０に取り付け、前記第２の電線布線治具５を支持軸２に対して回転、伸縮および上下移動自在として、Ｘ，Ｙ，Ｚ方向のすべてに調節可能としている。
【００１６】
前記電線布線治具１は、汎用されている組立治具と同様に、図２に示すように、ワイヤハーネスの組立作業台２０に穿設した取付穴２０ｈに支持軸２の下部を貫通させ、ナット１２で締結して立設固定している。其の際、支持軸２の上端に設けている電線受け部３の向きおよび高さはナット１２で締結する際に調整している。
【００１７】
前記分岐アーム４の先端に取り付ける前記第２の電線布線治具５は別体として着脱自在に締結固定しても良いし、連続した一体に設けたものでも良い。本実施形態では、分岐アーム４の先端に第２の電線布線治具５を着脱自在に取り付けている。
【００１８】
分岐アーム４は伸縮タイプとし、図３に示すように、基端から先端にかけて筒状の第１軸４ａと第２軸４ｂ、第３軸４ｃを設け、第１軸４ａに第２軸４ｂをスライド自在に内嵌し、第２軸４ｂに第３軸４ｃをスライド自在に内嵌している。かつ、第２軸、第３軸のスライド量は軸線方向に設けた溝４ｍに止めピン１１を差し込み固定することで、任意のスライド量にでき、分岐アーム４の長さＬを大幅に調整可能としている。
【００１９】
前記分岐アーム４の先端側の第３軸４ｃは先端側に分岐した一対の取付板４ｇを設け、該取付板４ｇの間に前記第２の電線布線治具５の支軸５ａの下部を挿入し、取付板４ｇおよび支軸５ａに設けたピン穴にボルトＢ２を挿入しナットＮ２で締結して取り付けている。このように、分岐アーム４の先端の取付板４ｇに対して第２の電線布線治具５の支軸５ａをボルトとナットで軸着しているため、分岐アーム４が傾斜しても支軸５ａを垂直上向きに位置決め保持できる。
【００２０】
なお、第２の電線布線治具５に代えて図４に示すように、コネクタ受け枠５０ｂを支軸５０ｃの先端に設けたコネクタ受け治具５０を分岐アーム４の先端に取り付けることもできる。さらに、Ｕ形状の電線受け部に代えて、Ｙ形状、Ｘ形状の電線受け部を備えた電線布線治具５に変えることもできる。
【００２１】
また、図３に示すように、前記分岐アーム４の第１軸４ａの基端側にピン穴４ｈを設け、支持軸２に外嵌した第１Ｃ型継ぎ手６の円環部６ａの両端から突出した一対の取付板６ｂの間に分岐アーム４の基端を挿入し、ピン穴４ｈと取付板６ｂに設けたピン穴６ｈを連通させ、ボルトＢ１とナットＮ１で締結固定している。よって、該締結を緩めると分岐アーム４自体の上下取り付け高さ及び分岐アーム４の基端側を回転させて突出方向を変えて調整できる。
【００２２】
かつ、図５に示すように、前記第１軸４ａの長さ方向の中間に支持アーム７の先端を軸着する取付部４ｄを設け、該取付部４ｄと支持アーム７の先端とに設けた取付穴にボルトＢ３を差し込んでナットを螺着して回動可能に軸着している。該支持アーム７の基端も、支持軸２に外嵌した第２Ｃ型継ぎ手１３の円環部１３ａより突出する一対の取付板１３ｂの取付穴に装着するボルトＢ４を介して回動可能に軸着している。該第２Ｃ型継ぎ手１３の支持軸２に外嵌した円環部１３ａは前記ボルトＢ４を緩めることで支持軸２に対して上下移動自在に嵌合している。該第２Ｃ型継ぎ手１３を上昇させると支持アーム７を介して分岐アーム４を上向き傾斜させる一方、第２Ｃ型継ぎ手１３を下降させると支持アーム７を介して分岐アーム４を下向き傾斜させ、分岐アーム４の先端の第２の電線布線治具５の電線受け部５ｂのＺ方向の高さを調整できるようにしている。
【００２３】
よって、分岐アーム４を支持する第１Ｃ型継ぎ手６を固定した状態で、第２Ｃ型継ぎ手１３を上下移動させることで、第２の電線布線治具５の高さを簡単に変えることができる。
【００２４】
前記構成として、第２の電線布線治具５のＸ（横方向）、Ｙ（縦方向）、Ｚ（高さ方向）の位置は下記の動作により調節できるものとしている。
（１）分岐アーム４を伸縮することで支持軸２からの距離を調節でき、Ｘ方向の調節ができる。
（２）第１Ｃ型継ぎ手６および第２Ｃ型継ぎ手１３を支持軸２に対して回転することで支持軸２に対する突出方向が調節でき、Ｘ，Ｙ方向の調節ができる。
（３）第２Ｃ型継ぎ手１３を上下移動することで高さ位置（Ｚ）を第１段調節できる。
さらに、第１Ｃ型継ぎ手６を上下移動することで、高さ位置（Ｚ）を第２段調節できる。
【００２５】
具体的には、前記図２に示す分岐アーム４を水平に延在させると共に第１〜第３軸を最大長さとした位置が第２の電線布線治具５の初期設定位置とすると、図６〜８に示す第２位置、第３位置、第４位置〜に変えることができる。
【００２６】
図６に示す第２位置では、第２の電線布線治具５をメインの電線受け部３より下降させると共に、支持軸２側に近接させている。該第２位置では、電線受け部３で支持した電線Ｗを下向きに配線して第２の電線布線治具５で支持し、組立作業台上で電線Ｗを上下に布線できるようにしている。また、該第２位置を第２の電線布線治具５の不使用位置とすることもできる。
【００２７】
図７に示す第３位置では、第２の電線布線治具５をメインの電線受け部３より上方に位置させると共に、支持軸２側に近接させている。該第３位置では、メインの電線受け部３を電線受け部として用いず、第２の電線布線治具５で電線を受けており、ワイヤハーネスの分岐位置を若干ずらせている。
【００２８】
図８に示す第４位置は、第２の電線布線治具５を支持軸２に対して９０度回転させた位置とし、メインの電線受け部３で分岐される枝線の方向を９０度変えている。
【００２９】
前記のように、１本の電線布線治具１の支持軸２から分岐アーム４および支持アーム７
を介して伸縮、昇降および回転可能に第２の電線布線治具５を突設しているため、Ｘ，Ｙ，Ｚのすべての方向に調節可能である。よって、寸法が若干相違する別種類のワイヤハーネスを組み立てる際に、第２の電線布線治具５の必要なＸ，Ｙ，Ｚ方向を調節し、さらに必要であれば、電線布線治具１の上下高さおよび向きを変えることで、電線布線治具１を組立作業台２０上に立設し直す必要はない。
【００３０】
図９に第２実施形態を示す。
第２実施形態では、前記分岐アーム４と支持アーム７とコネクタ受け治具５０をワンセットとして、前記支持軸２に前記第２の電線布線治具５と別の位置に突設している。該構成とすると、メインの電線受け部３で２本の枝線を分岐させる場合に好適に用いることができる。
【００３１】
前記第２実施形態に対して更に他のワンセットの分岐アームと支持アームと電線受け治具を支持軸に取り付けてもよい。該構成とすると、メインの電線受け部３で３本の枝線を分岐させる場合に好適に用いることができる。
【００３２】
本発明は前記実施形態に限定されず、支持軸２の上端に電線受け部を交換可能に着脱自在とし、前記Ｕ形状の電線受け部に変えてＹ形状あるいはＸ形状の電線受け部を取り付けてもよい。
【符号の説明】
【００３３】
１  電線布線治具（組立治具）
２  支持軸
３  電線受け部
４  分岐アーム
５  第２の電線布線治具（第２の治具）
６  第１Ｃ型継ぎ手
７  支持アーム
１３  第２Ｃ型継ぎ手
２０  ワイヤハーネスの組立作業台
Ｗ  電線
【図１】
2015076349.tif 000003
【図２】
2015076349.tif 000004
【図３】
2015076349.tif 000005
【図４】
2015076349.tif 000006
【図５】
2015076349.tif 000007
【図６】
2015076349.tif 000008
【図７】
2015076349.tif 000009
【図８】
2015076349.tif 000010
【図９】
2015076349.tif 000011
【図１０】
2015076349.tif 000012
【図１１】
2015076349.tif 000013
【図１２】
2015076349.tif 000014